(57)【特許請求の範囲】
【請求項１】
壁状部の内側に蓋受部を設けた受枠と、該受枠に嵌め込まれて前記蓋受部上に載せられる本体蓋と、前記受枠と本体蓋とを連結する連結部材とが備えられているマンホールであって、
前記連結部材は、下側の円柱状軸部、上側の角柱状軸部、該角柱状軸部の上端で外向きに突出した展開用軸部、該展開用軸部の両面から同軸に突出したピンを備え、
前記受枠の蓋受部には、前記連結部材の円柱状軸部及び角柱状軸部が上下方向及び該上下方向に直交しかつ互いに直交する二軸方向のうちの一方の軸方向に往復動可能に、かつ、前記二軸方向のうちの他方の軸方向にほとんど動けないように貫通する軸孔部が設けられ、
前記本体蓋の裏面側には、前記連結部材の展開用軸部及びピンを嵌める軸孔部が設けられており、
前記本体蓋は、前記円柱状軸部を中心として旋回可能であり、かつ、前記ピンを中心として展開可能であることを特徴とするマンホール。
【請求項２】
前記連結部材は、下端部に抜け止部が設けられていることを特徴とする請求項１に記載
のマンホール。
【発明の詳細な説明】
【技術分野】
【０００１】
本発明は、受枠に嵌め込まれた蓋が連結部材によって開閉自在とされているマンホールに関する。
【背景技術】
【０００２】
地下構造物と地上との出入口に設けられるマンホールは、用途に応じて種々のタイプが提供されている。例えば、非特許文献１には、ポンプなどを設置する地下構造物の地上開口部に設けられるマンホールが記載されている。このマンホールは、図１３に示すように、地下構造物の地上開口部に設置される受枠１１０と、この受枠１１０に嵌め込まれる蓋１２０とを備えている。
【０００３】
受枠１１０は、一対の長辺部１１１と一対の短辺部１１２とによって長方形状に成形され、長辺部１１１も短辺部１１２も壁状部から庇状の蓋受部が内向きに突出している。また、各短辺部１１２の中間には、外側に突出した張出部１１６が設けられている。
【０００４】
また、蓋１２０は、受枠１１０の各長辺部１１１に沿って２列に配列された複数の長方形状の本体蓋１２１と、この２列の本体蓋１２１の間に配置された１本の細長い梁蓋１２２とが組み合わされている。梁蓋１２２は、受枠１１０の張出部１１６間に架け渡され、両端部が受枠１１０の短辺部１１２の張出部１１６に形成された蓋受部に載せられている。また、梁蓋１２２は、両側の壁状部から庇状の蓋受部が突出している。
【０００５】
そして、本体蓋１２１は、一方の端部１２１ａが受枠１１０の長辺部１１１の蓋受部に載せられ、他方の端部１２１ａが梁蓋１２２の蓋受部に載せられる。また、受枠１１０の短辺部１１２に沿って配置された外側の本体蓋１２１は、側部１２１ｂも受枠１１０の短辺部１１２の蓋受部に載せられる。
【０００６】
そして、梁蓋１２２の両端部には、アイボルト（図示せず）を締結する雌ネジ１２２ａが形成されている。また、各本体蓋１２１の梁蓋１２２側（内端側）の端部には、２本のバール１００の先端部が引っ掛けられる２個の掛止穴１２１ｃが設けられている。そして、作業者がバール１００の先端部を内端側の掛止穴１２１ｃに引っ掛け、引っ張ることで、本体蓋１２１は、図１４に示すように、展開して開蓋することができる。
【０００７】
そして、梁蓋１２２は、雌ネジ１２２ａにアイボルトが締結され、リフト（図示せず）などで吊上げられることで、受枠１１０から外される。
【０００８】
なお、特許文献１には、長方形状の受枠に嵌め込まれた長方形状の鉄蓋が浮揚して開放するようにしたマンホールにおいて、鉄蓋を旋回させることができるようにするためのレバー杆を備えた鉄蓋の連結装置が記載されている。この連結装置は、鉄蓋の周縁下面に球面受溝を形成し、この球面受溝に回動可能に嵌合する球状頭部をレバー杆の上端に形成し、レバー杆を起倒可能に枢結する支承部を受枠の内周縁に設けたことを特徴としている。
【０００９】
そして、このマンホールは、レバー杆の下部に挿通孔が形成され、支承部に軸受孔が形成され、この挿通孔と軸受孔とに支軸が通されることで、レバー杆が起立状態となり、鉄蓋を蓋受枠より浮揚させて支持することができるようにされている。また、レバー杆の球状頭部が球面受溝内に嵌入されることで、鉄蓋が旋回できるようにされている。
【先行技術文献】
【非特許文献】
【００１０】
【非特許文献１】福西鑄物株式会社  ２０１０年２月発行  大型連結鉄蓋開閉取扱説明書  ｐ.３−４
【特許文献】
【００１１】
【特許文献１】特開２０００−２２０１６２号公報
【発明の概要】
【発明が解決しようとする課題】
【００１２】
非特許文献１に記載されたマンホールは、本体蓋を展開して開蓋することができるものの、蓋を旋回して開蓋することができない。一方、特許文献１に記載された地下構造部用蓋の開閉構造は、本体蓋（鉄蓋）を旋回することができるものの、本体蓋を展開して開蓋することができない。しかし、使用状況に応じて、本体蓋を展開しても旋回しても、開蓋することができるようにしたいという要請がある。
【００１３】
そこで、本発明は、本体蓋を展開及び旋回して開蓋することができるようにしたマンホールを提供することを課題とする。
【課題を解決するための手段】
【００１４】
本発明に係るマンホールは、壁状部の内側に蓋受部を設けた受枠と、該受枠に嵌め込まれて前記蓋受部上に載せられる本体蓋と、前記受枠と本体蓋とを連結する連結部材とが備えられているマンホールであって、前記連結部材は、下側の円柱状軸部、上側の角柱状軸部、該角柱状軸部の上端で外向きに突出した展開用軸部、該展開用軸部の両面から同軸に突出したピンを備え、前記受枠の蓋受部には、前記連結部材の円柱状軸部及び角柱状軸部が上下方向及び該上下方向に直交しかつ互いに直交する二軸方向のうちの一方の軸方向に往復動可能に、かつ、前記二軸方向のうちの他方の軸方向にほとんど動けないように貫通する軸孔部が設けられ、前記本体蓋の裏面側には、前記連結部材の展開用軸部及びピンを嵌める軸孔部が設けられており、前記本体蓋は、前記円柱状軸部を中心として旋回可能であり、かつ、前記ピンを中心として展開可能であることを特徴としている。
【００１５】
このマンホールによれば、連結部材の展開用軸部及びピンが本体蓋の裏面側に設けられた軸孔部に嵌められることにより、本体蓋を展開して開蓋し、連結部材の円柱状軸部が受枠に設けられた軸孔部に貫通することにより、旋回して開蓋することができる。
【００１６】
すなわち、このマンホールは、閉蓋している状態において、連結部材の角柱状軸部が受枠の軸孔部に一方の幅方向に往復動可能に貫通することで、展開用軸部の両面に突出したピンが本体蓋の軸孔部内で移動する回転軸となって展開して開蓋する。このとき、連結部材の角柱状軸部が他方の幅方向（一方の幅方向と直交する方向）にほとんど動けないようにされているため、連結部材はぶれることなく、蓋体を展開させることができる。また、本体蓋は、受け枠内から持ち上げられることにより、円柱状軸部が受枠の軸孔部内に位置し、円柱状軸部が回転軸となって旋回して開蓋する。
【００１７】
また、前記本発明に係るマンホールにおいて、前記連結部材は、下端部に抜け止部が設けられていることが好ましい。このマンホールによれば、本体蓋を開蓋するため、展開して、又は旋回して受枠から持ち上げたときに、連結部材の下部に設けられた抜け止部が受枠の軸孔部の周囲の蓋受部に当たることにより、連結部材が軸孔部から抜け外れることがないようにすることができる。
【発明の効果】
【００１８】
本発明によれば、下側の円柱状軸部、上側の角柱状軸部、該角柱状軸部の上端で外向きに突出した展開用軸部、該展開用軸部の両面から同軸に突出したピンを備えた連結部材によって受枠と本体蓋とを連結したマンホールが提供されることにより、本体蓋を展開しても旋回しても開蓋することができる。
【図面の簡単な説明】
【００１９】
【図１】本発明に係るマンホールの一実施形態を示し、（ａ）は一部を切り欠いた平面図、（ｂ）は（ａ）のＡ−Ａ線断面側面図である。
【図２】本発明に係るマンホールを構成している連結部材の一実施形態を示す斜視図である。
【図３】本発明に係るマンホールの一実施形態であって、閉じている状態を示す要部拡大断面側面図である。
【図４】本発明に係るマンホールの一実施形態であって、展開して開蓋する第１段階を示す要部拡大断面側面図である。
【図５】本発明に係るマンホールの一実施形態であって、展開して開蓋する第２段階を示す要部拡大断面側面図である。
【図６】本発明に係るマンホールの一実施形態であって、展開して開蓋する第３段階を示す要部拡大断面側面図である。
【図７】本発明に係るマンホールの一実施形態であって、展開して開蓋する第４段階を示す要部拡大断面側面図である。
【図８】本発明に係るマンホールの一実施形態であって、展開して開蓋する第５段階を示す要部拡大断面側面図である。
【図９】本発明に係るマンホールの一実施形態であって、完全に展開して開蓋した状態を示す要部拡大断面側面図である。
【図１０】本発明に係るマンホールの一実施形態であって、安全性を検証するために展開して開蓋した状態を示す要部拡大断面側面図である。
【図１１】本発明に係るマンホールの一実施形態であって、旋回して開蓋する途中の段階を示す要部拡大断面側面図である。
【図１２】本発明に係るマンホールの一実施形態であって、完全に旋回して開蓋した状態を示す要部拡大断面側面図である。
【図１３】従来のマンホールの一例を示し、閉蓋している状態を示す斜視図である。
【図１４】従来のマンホールの一例を示す、一部開蓋している状態を示す斜視図である。
【発明を実施するための形態】
【００２０】
本発明に係るマンホールの一実施形態について図１ないし図１２を参照しながら説明する。このマンホールは、長方形の枠状の台座１に固定される長方形状の受枠１０と、この受枠１０に嵌め込まれる蓋２０とを備えている。
【００２１】
蓋２０は、受枠１０の各長辺部１１に沿って２列に配列された長方形状の本体蓋２１と、この２列の本体蓋２１の間に配置された細長い梁蓋２２とが組み合わされる。そして、受枠１０と本体蓋２１とは、連結部材３０によって連結されている。
【００２２】
連結部材３０は、図２に示すように、下側の円柱状軸部３１と上側の角柱状軸部３２とが同軸に設けられ、この角柱状軸部３２の上端で外向き、すなわち受枠１０の長辺部１１に向かって展開用軸部３３が突出し、この展開用軸部３３の両面にピン３４が突出している。なお、角柱状軸部３２は、図示したような四角柱状であることが好ましいが、多角形であれば、形状を限定しない。また、展開用軸部３３の先端側は、半円柱状に形成されている。
【００２３】
そして、連結部材３０は、下端部に抜け止部３５を設けている。この抜け止部３５は、円柱状軸部３１の下部から突出して設けられた延設部３５ａと、この延設部３５ａに設けられた貫通穴３５ｂと、この貫通孔を貫通して両側から突出するシャフト３５ｃを備えている。
【００２４】
延設部３５ａの下端側は、半円柱状に形成されている。また、貫通穴３５ｂは、前記ピン３４の向きと同じ方向に設けられ、貫通穴３５ｂの周囲が角柱状軸部３２の平面と同じ方向の平坦に形成されている。また、シャフト３５ｃは、ボルトとナット（採番せず）との組合せとされ、貫通穴３５ｂを貫通したボルトにナットが締結されることで、貫通穴３５ｂから抜けないようにされている。なお、シャフト３５ｃは、下向きコ字状の軸などによって構成してもよい。
【００２５】
そして、受枠１０は、一対の長辺部１１と一対の短辺部１２とによって長方形状に形成され、長辺部１１も短辺部１２も壁状部１３から庇状の蓋受部１４が内向きに突出している。
【００２６】
長辺部１１の蓋受部１４には、連結部材３０の円柱状軸部３１及び角柱状軸部３２が上下方向と一方の横方向（この実施形態では短辺部１２と平行な方向）に往復動可能に、かつ、他方の横方向（この実施形態では長辺部１１と平行な方向）にほとんど動けないに貫通する軸孔部１５が設けられている。すなわち、軸孔部１５の長辺方向の幅は、連結部材３０の円柱状軸部３１及び角柱状軸部３２の長辺方向の幅よりもわずかに大きくされている。
【００２７】
また、各短辺部１２の中間には、図１（ａ）に示すように、梁蓋２２の端部を支承するための張出部１６が設けられている。なお、図１（ａ）は、右側の２枚の本体蓋２１を外し、梁蓋２２の右下側を斜めに切り欠いた平面図である。
【００２８】
そして、梁蓋２２の両端部付近の上面には、アイボルトを締結するための雌ネジ（図示せず）が形成されている。また、梁蓋２２も、両側の壁状部２２ａから受枠１０の長辺部１１に向かって庇状の蓋受部２２ｂが突出している。受枠１０の蓋受部１４と梁蓋２２の蓋受部２２ｂは、同じ高さに設けられ、本体蓋２１の各端部を支承する。
【００２９】
そして、本体蓋２１の短辺部１２の中間部であって裏面側には、連結部材３０の展開用軸部３３及びピン３４を一方の幅方向に移動可能に嵌め込む軸孔部２１ａが設けられている。
【００３０】
この軸孔部２１ａは、連結部材３０の展開用軸部３３を隙間を空けて両側から挟み、かつ、ピン３４を下側からカバーする一対の桁状部２１ｂによって、蟻溝状に形成されている。また、各桁状部２１ｂの梁蓋３２側の内側端部には、雌ネジが形成され、この雌ネジにボルト２１ｃが締結されることで、連結部材３０が軸孔部２１ａから抜け出ないようにされている。したがって、連結部材３０は、展開用軸部３３が軸孔部２１ａにセットされた後、雌ネジにボルト２１ｃが締結される。
【００３１】
そして、本体蓋２１の上面の両端部には、バールの先端部が引っ掛けられる掛止穴２１ｄが設けられている。ただし、掛止穴２１ｄは、受枠１０の長辺側の外側端部において軸孔部２１ａの両側の２か所に設けられ、梁蓋２２側の内側端部において中心の１か所に設けられる。
【００３２】
このマンホールは、このように構成され、次に開蓋する方法について、図３ないし図７を参照しながら説明する。
【００３３】
マンホールが閉蓋されているときは、図１及び図３に示すように、本体蓋２１の両端部が受枠１０の蓋受部１４と梁蓋２２の蓋受部２２ｂの上に支承され、連結部材３０の角柱状軸部３２が受枠１０の軸孔部１５内であって壁状部１３側に位置している。
【００３４】
そして、本体蓋２１を展開して開蓋するには、まず図４に示すように、本体蓋２１の内側の掛止穴２１ｄにバール（図１４における符号１００）の先端部を引っ掛け、バールを引っ張ることで、本体蓋２１を傾斜させる。このとき、連結部材３０の角柱状軸部３２は、受枠１０の軸孔部１５内を壁状部１３側から徐々に離れ、連結部材３０全体がわずかに持ち上げられる。
【００３５】
そして、バールをさらに引っ張ることで、本体蓋２１は、図５から図６に示すように、傾斜角度が大きくなって、立ち上がる状態とされる。このとき、連結部材３０の角柱状軸部３２は、受枠１０の軸孔部１５の内側（梁蓋２２側）に位置し、連結部材３０の変位が軸孔部１５内で規制されることで、本体蓋２１は、ピン３４を回転軸に展開する。
【００３６】
そして、バールをさらに引っ張ることで、本体蓋２１は、図７に示すように、鉛直姿勢となり、連結部材３０が最も上昇した後、図８に示すように、鉛直姿勢から外向きにわずかに傾斜した姿勢となる。この傾斜した本体蓋２１は、短辺部１２のわずかに内側が受枠１０の壁状部１３のエッジに支えられる状態となる。このとき、連結部材３０は、軸孔部１５内を壁状部１３側に若干、戻る。
【００３７】
そして、バールをさらに引っ張ることで、本体蓋２１は、図９に示すように、連結部材３０のピン３４を回転軸に展開し、水平線となす角度が４５°よりも小さくなることで、安定した姿勢で開蓋され、作業が終了する。
【００３８】
この一連の展開において、軸孔部１５の長辺方向の幅が連結部材３０の円柱状軸部３１及び角柱状軸部３２の長辺方向の幅よりもわずかに大きくされ、連結部材３０の角柱状軸部３２が長辺部１１と平行な方向にほとんど動かないため、連結部材３０は軸孔部１５内でぶれることがなく、したがって、本体蓋２１は、安定して開蓋する。
【００３９】
そして、完全に開蓋した連結部材３０は、展開用軸部３３が受枠１０の長辺部１１側に若干傾倒し、円柱状軸部３１と角柱状軸部３２との境界部が軸孔部１５内の先側に当たって、支承する状態となる。
【００４０】
そして、安全性を検証するため、本体蓋２１は、図１０に示すように、連結部材３０をさらに引き揚げた状態とし、水平線となす角度が約３０°とする。このとき、連結部材３０のシャフト３５ｃが受枠１０の蓋受部１４に当たることで、連結部材３０は軸孔部１５から抜け出ない。そして、本体蓋２１このような姿勢とされることで、軸孔部１５の部分の蓋受部１４や連結部材３０のピン３４などの安全性を検証することができる。
【００４１】
本体蓋２１は、開蓋の目的に合わせて、１枚、複数枚、さらに全て展開される。また、梁蓋２２は、両端部に形成された雌ネジにアイボルトが締結され、アイボルトにワイヤーが引っ掛けられ、リフトなどで吊上げられることで、完全に開蓋することができる。そして、閉蓋するときは、前記と逆の作業をする。
【００４２】
次に、本体蓋２１を旋回して開蓋する作業について図１１及び図１２を参照しながら説明する。本体蓋２１を旋回するには、本体蓋２１の３か所に設けられた各掛止穴２１ｄにバール（図示せず）の先端部を引っ掛け、図１１に示すように、本体蓋２１を水平姿勢で引き上げる。この本体蓋２１は、底面が受枠１０の上面、すなわち、地面よりもわずかに上側に位置するまで引き上げられる。
【００４３】
このとき、連結部材３０の円柱状軸部３１が軸孔部１５内に位置している。したがって、本体蓋２１は、連結部材３０のシャフト３５ｃが蓋受部１４の底面に当たった以上は引き上げられない。
【００４４】
そして、引き上げられた本体蓋２１は、梁蓋２２側が円弧状にターンすることで、連結部材３０の円柱状軸部３１を回転軸として、図１２に示すように旋回して開蓋する。前記のように、本体蓋２１は、開蓋の目的に合わせて、１枚、複数枚、さらに全て展開され、梁蓋２２が外される。また、閉蓋するときは、前記と逆の作業を行う。
【００４５】
本発明は、前記実施の形態に限定することなく、種々変更することができる。例えば、連結部材３０は、円柱状軸部３１を十二分に長くすることにより、抜け止部３５を設けないものとしてもよい。また、抜け止部３５を設ける場合は、軸孔部１５よりも大きな拡大部を円柱状軸部３１と一体成形したものとし、あるいは、円柱状軸部３１に貫通穴３５ｂを形成してもよい。
【００４６】
さらに、マンホールは、梁蓋２２がないタイプや、１枚の長方形状の本体蓋２１が受枠１０に嵌められるタイプや、円形の本体蓋２１が受枠１０に嵌められるタイプであってもよい。
【符号の説明】
【００４７】
１０……受枠
１１……長辺部
１２……短辺部
１３……壁状部
１４……蓋受部
１５……軸孔部
１６……張出部
２０……蓋
２１……本体蓋
２１ａ…軸孔部
２２……梁蓋
３０……連結部材
３１……円柱状軸部
３２……角柱状軸部
３３……展開用軸部
３４……ピン
３５……抜け止部
３５ａ…延設部
３５ｂ…通穴
３５ｃ…シャフト
【図１】
0005703059.tif 000002
【図２】
0005703059.tif 000003
【図３】
0005703059.tif 000004
【図４】
0005703059.tif 000005
【図５】
0005703059.tif 000006
【図６】
0005703059.tif 000007
【図７】
0005703059.tif 000008
【図８】
0005703059.tif 000009
【図９】
0005703059.tif 000010
【図１０】
0005703059.tif 000011
【図１１】
0005703059.tif 000012
【図１２】
0005703059.tif 000013
【図１３】
0005703059.tif 000014
【図１４】
0005703059.tif 000015